(57)【要約】【課題】  容易に用紙を手差し給紙口にセットできる画像形成装置を提供する。【解決手段】  対向するローラ対で構成する紙を搬送する搬送手段、搬送手段の近傍に配置され搬送される紙の先端に当接して紙の斜行を矯正するとともに回動することにより退避して紙を通過させるシャッタ部材、シャッタ部材を紙搬送方向と逆方向に付勢する付勢手段と搬送手段の手前に配置された紙を検知する紙検知手段、紙挿入部に設置された開閉部材を有する画像形成装置において、紙挿入部に設置された開閉部材の開閉を検知する開閉検知手段、画像形成装置を制御する制御部、シャッタ部材を紙の搬送方向に回動させる回動手段を有し、制御部は開閉部材が開いたことを検知すると、回動手段を使って、シャッタ部材を紙の搬送方向に回動させ、開閉部材が閉じたことを検知すると、シャッタ部材を元の位置に戻す。【選択図】  図１
2008037514.tif 000002
【特許請求の範囲】
【請求項１】
対向するローラ対で構成する紙を搬送する搬送手段、
搬送手段の近傍に配置され搬送される紙の先端に当接して紙の斜行を矯正するとともに回動することにより退避して紙を通過させるシャッタ部材、
シャッタ部材を紙搬送方向と逆方向に付勢する付勢手段と搬送手段の手前に配置された紙を検知する紙検知手段、
紙挿入部に設置された開閉部材、を有し、
紙挿入部から挿入した紙を紙検知手段で検知すると搬送手段を一定時間回転したのち停止して、紙先端を搬送手段にはさみ込む画像形成装置において、
紙挿入部に設置された開閉部材の開閉を検知する開閉検知手段、
画像形成装置を制御する制御部、
シャッタ部材を紙の搬送方向に回動させる回動手段、
を有し、制御部は開閉部材が開いたことを開閉検知手段が検知すると、回動手段に駆動信号を送って、シャッタ部材を紙の搬送方向に回動させることを特徴とする画像形成装置。
【請求項２】
対向するローラ対で構成する紙を搬送する搬送手段、
搬送手段の近傍に配置され搬送される紙の先端に当接して紙の斜行を矯正するとともに回動することにより退避して紙を通過させるシャッタ部材、
シャッタ部材を紙搬送方向と逆方向に付勢する付勢手段と搬送手段の手前に配置された紙を検知する紙検知手段、
紙挿入部に設置された開閉部材、を有し、
紙挿入部から挿入した紙を紙検知手段で検知すると搬送手段を一定時間回転したのち停止して、紙先端を搬送手段にはさみ込む画像形成装置において、
紙挿入部に設置された開閉部材の開閉を検知する開閉検知手段、
画像形成装置を制御する制御部、
シャッタ部材を紙の搬送方向に回動させる回動手段、
を有し、制御部は開閉部材が閉じたことを開閉検知手段が検知すると、回動手段に駆動信号を送って、シャッタ部材を紙の搬送方向とは逆方向に戻すことを特徴とする画像形成装置。
【請求項３】
請求項１で紙挿入部の開閉部材が開いているときに、制御部が紙挿入部以外からの印字指令を受け取った場合は、回動手段に駆動信号を送って、シャッタ部材を搬送方向と逆方向に戻すことを特徴とする請求項１に記載の画像形成装置。
【発明の詳細な説明】
【技術分野】
【０００１】
本発明は、給紙機能を備えた画像形成装置において手差し給紙に関するものである。
【背景技術】
【０００２】
図６に従来例に係る画像形成装置の手差し用紙給紙部を示す。図において用紙Ｐを図示しない手差し給紙口３１から挿入し、用紙Ｐの先端を図示しない紙検知手段Ｓ４で検知すると搬送ローラ対８、２３を一定時間回転したのちに停止して用紙Ｐを挟み込む。
【０００３】
そして、印字可能になると搬送ローラ対８、２３を回転して、用紙Ｐの搬送を開始する。
【０００４】
搬送ローラ対８、２３は用紙Ｐの斜行補正手段も兼ねている。搬送ローラ２３には用紙Ｐ当接部材であるレジシャッタ４０が回動可能に取り付けられており、用紙Ｐ搬送面に当接面４０ａを突出させると共に、搬送ローラ２３に取り付けたバネ２２によって用紙Ｐ搬送方向に対向する方向に付勢されている。従って搬送された用紙Ｐはまず当接面４０ａに当接し、用紙Ｐの搬送力がバネ２２の付勢力を上回るとレジシャッタ４０が回動し、用紙Ｐ先端が搬送ローラ対８、２３に当接して挟持搬送される。
【０００５】
このような画像形成装置における給紙装置としては、例えばレーザビームプリンタにおいては、特開平１１−２５５３７８公報等を挙げることができる。
【特許文献１】特開平１１−２５５３７８号公報
【発明の開示】
【発明が解決しようとする課題】
【０００６】
しかしながら、上記レーザビームプリンタは手差し口に用紙をセットするためには、使用者は用紙Ｐでレジシャッタ４０を押して、バネ２２で付勢されたレジシャッタ４０を回動させ、搬送ローラ対８、２３に挟み込ませる必要がある。
【０００７】
このため、用紙の挿入する角度によっては用紙がレジシャッタ４０を回動できずに用紙をセットすることが難しいことがある。
【０００８】
本発明は、上記、課題を解決するためになされたもので、容易に用紙を手差し口にセットできる画像形成装置を提供することを目的とする。
【課題を解決するための手段】
【０００９】
本発明は、対向するローラ対で構成する紙を搬送する搬送手段、搬送手段の近傍に配置され搬送される紙の先端に当接して紙の斜行を矯正するとともに回動することにより退避して紙を通過させるシャッタ部材、シャッタ部材を紙搬送方向と逆方向に付勢する付勢手段と搬送手段の手前に配置された紙を検知する紙検知手段、紙挿入部に設置された開閉部材、を有し、紙挿入部から挿入した紙を紙検知手段で検知すると搬送手段を一定時間回転したのち停止して、紙先端を搬送手段にはさみ込む画像形成装置において、紙挿入部に設置された開閉部材の開閉を検知する開閉検知手段、画像形成装置を制御する制御部、シャッタ部材を紙の搬送方向に回動させる回動手段、を有し、制御部は開閉部材が開いたことを開閉検知手段が検知すると、回動手段に駆動信号を送って、シャッタ部材を紙の搬送方向に回動させることを特徴とするものである。
【００１０】
また、本発明は対向するローラ対で構成する紙を搬送する搬送手段、搬送手段の近傍に配置され搬送される紙の先端に当接して紙の斜行を矯正するとともに回動することにより退避して紙を通過させるシャッタ部材、シャッタ部材を紙搬送方向と逆方向に付勢する付勢手段と搬送手段の手前に配置された紙を検知する紙検知手段、紙挿入部に設置された開閉部材、を有し、紙挿入部から挿入した紙を紙検知手段で検知すると搬送手段を一定時間回転したのち停止して、紙先端を搬送手段にはさみ込む画像形成装置において、紙挿入部に設置された開閉部材の開閉を検知する開閉検知手段、画像形成装置を制御する制御部、シャッタ部材を紙の搬送方向に回動させる回動手段、を有し、制御部は開閉部材が閉じたことを開閉検知手段が検知すると、回動手段に駆動信号を送って、シャッタ部材を紙の搬送方向とは逆方向に戻すことを特徴とするものである。
【００１１】
また、本発明は紙挿入部の開閉部材が開いているときに、制御部が紙挿入部以外からの印字指令を受け取った場合は、回動手段に駆動信号を送って、シャッタ部材を搬送方向と逆方向に戻すことを特徴とするものである。
【発明の効果】
【００１２】
以上説明した本発明よれば、エンジンコントローラ１１７が手差し給紙口３１の扉３０が開いたことを検知して、回動手段を用いてレジシャッタ２１を回動することで、よりいっそう手差し口に紙をセットしやすくでき、使い勝手の良いレーザビームプリンタを提供できる。
【００１３】
さらに、エンジンコントローラ１１７がカセット３からの印字指令を受けたときは回動手段１０を用いてレジシャッタ２１の位置を元に戻すことで、良好な印字精度を持つレーザビームプリンタを提供できる。
【発明を実施するための最良の形態】
【００１４】
（第１の実施例）
以下、本発明の実施例１の形態について図面を用いて説明する。
【００１５】
図１は本発明の実施の形態に係る画像形成装置の一例であるレーザビームプリンタの概略構成を説明する図である。
【００１６】
同図において、１Ａはレーザビームプリンタであり、１はレーザビームプリンタ本体（以下、本体という）、３は用紙Ｐを収納するペーパーカセットである。
【００１７】
そして、このペーパーカセット３に収納された用紙Ｐは、カセット給紙ローラ３ａ及び搬送ローラ対３ｂの駆動により、矢印Ｌ１の方向へ給紙され、この後搬送ローラ対８，２３の駆動により矢印Ｌ２の方向へ搬送される。
【００１８】
搬送ローラ対８、２３は用紙Ｐの斜行補正手段でもある。搬送ローラには用紙Ｐの当接部材であるレジシャッタ２１が回動可能に取り付けられており、用紙搬送面に当接面２１ａを突出させると共に、搬送ローラ２３に取り付けたバネ２２によって用紙搬送方向に対向する方向に付勢されている。従って搬送された用紙Ｐはまず当接面２１ａに当接し、用紙の搬送力がバネ２２の付勢力を上回るとレジシャッタ２１が回動し、用紙先端が搬送ローラ対８，２３に当接して挟持搬送される。
【００１９】
給送ローラ３ａによって送られた用紙Ｐは搬送ローラ対３ｂによって搬送ローラ対８、２３へと送られ、用紙先端が当接面２１ａに突き当たって停止する。このとき搬送ローラ対３ｂは搬送を継続するため、その搬送力により用紙に座屈が生じ、ループ状のたわみが形成される。これにより用紙先端は当接面２１ａに順次沿うように突き当たり、次第に斜行が矯正される。
【００２０】
ここでバネ２２の付勢力はシートの座屈荷重よりも大きく設定しており、用紙先端の両端部が当接面２１ａに当接してループが形成されるまではレジシャッタ２１が回動しないよう構成されている。一方用紙Ｐのループ量は図に示すように用紙搬送経路の隙間によって規定されるため、ループがそれ以上成長できなくなると搬送方向への分力が大きくなり、この分力がバネ２２の付勢力を越えるとレジシャッタ２１が回動する。
【００２１】
また、４はレーザスキャナユニットであり、後述するホストコンピュータ等からの画像データに基づいてレーザ光をラスタスキャニングし、あらかじめ帯電器５ｂにより帯電されている感光体ドラム５ａ上に、折り返しミラー４ａによって静電潜像を形成するものである。なお、感光体ドラム５ａに形成された静電潜像は現像器５ｃでトナー現像された後、転写部５ｄにおいて、搬送ローラ対３ｃにより搬送された用紙Ｐに転写されるようになっている。
【００２２】
さらに、この用紙上に転写されたトナー像は、熱定着装置６により用紙Ｐに定着されるようになっている。なお、この熱定着装置６は、不図示の加熱体及び加熱体の温度を検知するサーミスタ等によって構成され、転写プロセスの終了した用紙Ｐに、熱と圧力を加えてトナー像を用紙Ｐに定着させるように構成されている。
【００２３】
また、７は搬送手段である排紙ローラ対であり、この排紙ローラ対７により熱定着装置６を通過した用紙Ｐは、本体２の上面に設けられた排紙部であるフェースダウン排紙部９へ排出されるようになっている。
【００２４】
なお、同図において、Ｓ１はペーパーカセット３の用紙Ｐの有無を検知する用紙センサ、Ｓ２は搬送ローラ対８，２３の駆動により搬送された用紙Ｐの先端と後端を検知する給紙センサであり、この給紙センサＳ２からの検知信号に基づきエンジンコントローラ部１４は画像書込タイミングを判断するようになっている。
【００２５】
Ｓ３は、用紙Ｐが熱定着装置６を通過したことを検知する排紙センサである。
【００２６】
Ｓ４は手差し給紙口３１の用紙Ｐの有無を検知する用紙センサ、Ｓ５は手差し給紙口扉の開閉を検知する開閉センサである。
【００２７】
図２は本発明の実施の形態に係る搬送ローラ対８、２３とレジシャッタ２１の概略構成を説明する図である。
【００２８】
レジシャッタ２１は、用紙搬送面に対して直交方向に部材が延長されている。
【００２９】
１０はステッピングモータであり、ステッピングモータ１０を搬送方向に回転するとステッピングモータに取り付けられた部材が、レジシャッタ２１の部材に当たり、レジシャッタ２１を回動する。
【００３０】
逆にステッピングモータ１０を反搬送方向に回転するとステッピングモータに取り付けられた部材が、レジシャッタ２１の部材から離れ、レジシャッタ２１は元の位置に戻る。
【００３１】
ここではステッピングモータで説明したが、本発明はこれに限定されるものではない。
【００３２】
図３は手差し給紙口の扉の開閉を説明する図である。
【００３３】
３０は扉、３１は手差し給紙口、Ｓ５は扉の開閉を検知する検知手段である。
【００３４】
ここではＳ５はフォトインタラプタで説明するが、本発明はこれに限定されるものではない。フォトインタラプタＳ５には発光部と受光部があり、部材で発光部と受光部間を遮光したときとしないときで扉の開閉を検知する。
【００３５】
図３（ａ）は扉３０が閉じているときである。扉３０が閉じているとき、扉の部材はフォトインタラプタＳ５の発光部と受光部を遮光している。
【００３６】
図３（ｂ）は扉３０が開いているときである。扉３０が開いているとき、扉の部材はフォトインタラプタＳ５の発光部と受光部を遮光していない。
【００３７】
図４は、以上の一連の印字動作を制御するプリンタコントローラ部のブロック図であり、このプリンタコントローラ部は、主にエンジンコントローラ部１４及び画像コントローラ部１５から構成されている。
【００３８】
ここで、画像コントローラ部１５は不図示の外部インターフェースを介してホストコンピュータ１７等からコード化された画像情報（コードデータ）を受信した後、コードデータをドットイメージのビデオデータに変換すると共に、不図示のビデオインターフェースを介してエンジンコントローラ部１４に印字指令を送出し、エンジンコントローラ部１４からの主走査同期信号、副走査同期信号に同期して、ビデオデータを順次エンジンコントローラ部１４に送出するように構成されたものである。
【００３９】
また、エンジンコントローラ部１４は、各搬送ローラ対の駆動、Ｓ１〜Ｓ５までの検知手段からの入力を監視することにより、レーザスキャナユニット４、熱定着装置６等のプリンタエンジンを統括的にコントロールし、画像コントローラ部１５からのビデオデータを用紙に印字するためのものである。
【００４０】
次に、本発明における制御動作を図５に示すフローチャートを用いて説明する。
【００４１】
電源投入後、エンジンコントローラ１１７の一連の制御（メインルーチン）でエンジンコントローラ１１７は扉開閉検知手段Ｓ５で手差し口の扉３１が開いた否かを調べる。
【００４２】
エンジンコントローラ１１７は手差し口の扉３１が開いたと判断すると、ステッピングモータ１０を搬送方向に回転してレジシャッタ２１を回動する。
【００４３】
手差し口の扉３１が開いていないと判断するとメインルーチンに戻る。
（Ｓ２０１〜Ｓ２０３）
エンジンコントローラ１１７は手差し用の紙検知手段Ｓ４で紙の有無を調べる。
【００４４】
エンジンコントローラ１１７は手差し口に紙が有ると判断すると、搬送ローラ対８、２３を一定期間回転させたのちに停止して、紙の先端を搬送ローラ対８，２３に挟みこむ。
【００４５】
手差し口に紙がないと判断すると、メインルーチンに戻る。
（Ｓ２０４〜Ｓ２０５）
エンジンコントローラ１１７は印字指令を待ち、カセットからの印字指令であると判断すると、ステッピングモータ１０を反搬送方向に回転してレジシャッタ２１を元の位置に戻し、印字を開始する。
【００４６】
手差しからの印字指令であると判断すると、レジシャッタ２１を回動したまま、印字を開始する。
【００４７】
そして、印字動作を終了すると、メインルーチンに戻る。
（Ｓ２０６〜Ｓ２０９）
以上のように手差し給紙口の扉３０が開いたことを検知して、レジシャッタ２１を回動することでいっそう手差し給紙口に紙をセットしやすく出来るレーザビームプリンタを実現できる。
【図面の簡単な説明】
【００４８】
【図１】本発明の形態に係る画像形成装置の一例であるレーザビームプリンタの概略構成を説明する図。
【図２】上記レーザビームプリンタのシャッターの回動を説明する構成図。
【図３】上記レーザビームプリンタの開閉扉の検知を説明する構成図。
【図４】上記レーザビームプリンタの制御ブロック図。
【図５】上記レーザビームプリンタにおけるフローチャート。
【図６】従来例に係る画像形成装置の手差し用紙給紙部を示す構成図。
【符号の説明】
【００４９】
１Ａ  レーザビームプリンタ
１  レーザビームプリンタ本体
５  画像形成部
６  熱定着装置
７  排紙ローラ対
９  フェースダウン排紙部
１０  ＦＤ排紙ローラ対
１４  エンジンコントローラ部
Ｐ  用紙
Ｓ３  排紙センサ
Ｓ４  手差し給紙口３１の用紙Ｐの有無を検知する用紙センサ
Ｓ５  手差し給紙口扉の開閉を検知する開閉センサ
【図１】
2008037514.tif 000003
【図２】
2008037514.tif 000004
【図３】
2008037514.tif 000005
【図４】
2008037514.tif 000006
【図５】
2008037514.tif 000007
【図６】
2008037514.tif 000008